(57)【要約】【課題】２個の異なるＮＡの対物レンズを備えた光ピックアップであって、対物レンズ及び対物レンズホルダに製造及び（又は）組み立て時の誤差が生じても、簡単な操作で調整することでＣＤ、ＤＶＤ、ＢＤ等の複数の光ディスクメディアの記録／再生の精度を高めることができる光ピックアップ及び光ピックアップの製造方法を提供する。【解決手段】第１対物レンズ３８と、第１対物レンズ３８と異なる開口数の第２対物レンズ４８と、各対物レンズが保持された対物レンズホルダ２４とを有し、第１対物レンズ３８はスペーサ２７を介して対物レンズホルダ２４に取り付けられるものであり、対物レンズホルダ２４は、第１対物レンズ３８が保持されたスペーサが取り付けられる第１取付孔２４１と、第２対物レンズ４８が固定された第２取付孔２４２とを有し、スペーサ２７が回動可能に内嵌されるスペーサ受け部２４１１が形成されている光ピックアップ。【選択図】図４
2008090944.tif 000002
【特許請求の範囲】
【請求項１】
赤外レーザ光を出射する赤外レーザ光源と、
赤色レーザ光を出射する赤色レーザ光源と、
青色レーザ光を出射する青色レーザ光源と、
前記赤外レーザ光又は前記赤色レーザ光を収束させてＣＤメディア又はＤＶＤメディアの記録面に照射する第１対物レンズと、
前記青色レーザ光を収束させてブルーレイディスクメディアの記録面に照射する第２対物レンズと、
前記第１対物レンズと前記第２対物レンズを保持するとともにトラッキング方向、フォーカス方向に移動可能な対物レンズホルダと、
前記対物レンズホルダを前記トラッキング方向に駆動する推力を発生するトラッキングコイルと、
前記対物レンズホルダを前記フォーカス方向に駆動する推力を発生するフォーカスコイルと、
前記対物レンズホルダを弾性支持するとともに前記トラッキングコイル及び前記フォーカスコイルに電力を供給する弾性支持部材とを備えた光ピックアップであって、
前記第１対物レンズはスペーサを介して前記対物レンズホルダに取り付けられるものであり、
前記スペーサは円筒形状であり、上面側に前記第１対物レンズが内嵌され、該第１対物レンズを受けるレンズ受け部と、上面より突出する突部とを有すると共に、摩擦係数の低い樹脂で形成されており、
前記対物レンズホルダは、下面から上面に貫通し上部に第１対物レンズが保持されたスペーサが取り付けられる第１取付孔と、下面から上面に貫通し上部に前記第２対物レンズが固定された第２取付孔とを有しており、
前記第１取付孔には前記第１対物レンズを保持したスペーサが回動可能に内嵌されるスペーサ受け部が形成されていることを特徴とする光ピックアップ。
【請求項２】
第１対物レンズと、
前記第１対物レンズと異なる開口数の第２対物レンズと、
前記第１対物レンズと前記第２対物レンズが保持された対物レンズホルダとを有する光ピックアップであって、
前記第１対物レンズはスペーサを介して前記対物レンズホルダに取り付けられるものであり、
前記スペーサは円筒形状であり、上面側に前記第１対物レンズが内嵌され、該第１対物レンズを受けるレンズ受け部と、上面に形成された係止部とを有しており、
前記対物レンズホルダは、下面から上面に貫通し上部に前記第１対物レンズが保持された前記スペーサが取り付けられる第１取付孔と、下面から上面に貫通し上部に前記第２対物レンズが固定された第２取付孔とを有し、
前記第１取付孔には前記スペーサが回動可能に内嵌されるスペーサ受け部が形成されていることを特徴とする光ピックアップ。
【請求項３】
前記スペーサの前記スペーサ受け部と接触する部分は摩擦係数が小さくなるように形成されていることを特徴とする請求項２に記載の光ピックアップ。
【請求項４】
前記係止部は前記スペーサの上面より突出する突部であることを特徴とする請求項２又は請求項３に記載の光ピックアップ。
【請求項５】
前記係止部は前記スペーサの上面に形成された凹孔であることを特徴とする請求項２又は請求項３に記載の光ピックアップ。
【請求項６】
前記対物レンズホルダが弾性支持部材にて支持されるとともに、前記弾性支持部材にて該対物レンズホルダを駆動するために備えられたトラッキングコイル及びフォーカスコイルに電力が供給されることを特徴とする請求項２から請求項５のいずれかに記載の光ピックアップ。
【請求項７】
前記対物レンズホルダが該対物レンズホルダを貫通する回転軸にて摺動可能且つ回動可能に支持されていることを特徴とする請求項２から請求項５のいずれかに記載の光ピックアップ。
【請求項８】
ＣＤメディア、ＤＶＤメディア及びＢＤメディアのうち少なくとも２種類の光ディスクメディアの記録／再生を行うことを特徴とする請求項２から請求項７のいずれかに記載の光ピックアップ。
【請求項９】
赤外レーザ光を出射する赤外レーザ光源と、赤色レーザ光を出射する赤色レーザ光源と、青色レーザ光を出射する青色レーザ光源と、前記赤外レーザ光又は前記赤色レーザ光を収束させてＣＤメディア又はＤＶＤメディアの記録面に照射する第１対物レンズと、前記青色レーザ光を収束させてブルーレイディスクメディアの記録面に照射する第２対物レンズと、前記第１対物レンズと前記第２対物レンズを保持するとともにトラッキング方向、フォーカス方向に移動可能な対物レンズホルダと、前記対物レンズホルダを前記トラッキング方向に駆動する推力を発生するトラッキングコイルと、前記対物レンズホルダを前記フォーカス方向に駆動する推力を発生するフォーカスコイルと、前記対物レンズホルダを弾性支持するとともに前記トラッキングコイル及び前記フォーカスコイルに電力を供給する弾性支持部材とを有し、前記第１対物レンズはスペーサを介して前記対物レンズホルダに取り付けられるものであり、前記スペーサは円筒形状であり、上面側に前記第１対物レンズが内嵌され、該第１対物レンズを受けるレンズ受け部と、前記上面より突出する突部とを有すると共に、摩擦係数の低い樹脂で形成されており、前記対物レンズホルダは、下面から上面に貫通し上部に前記スペーサが回動可能に嵌入された第１取付孔と、下面から上面に貫通し上部に前記第２対物レンズが固定された第２取付孔とを有し、前記第１取付孔の上面には前記第１対物レンズを保持するスペーサが回動可能に内嵌されるスペーサ受け部が形成されている光ピックアップの製造方法であって、
前記スペーサは、該スペーサの下面に対するレンズ受け部の底面の傾き角の大きさに従って製造精度が複数のランクに分けられており、
前記対物レンズホルダは前記スペーサ受け部の底面の光軸に直交する面に対する傾き角の大きさによって、前記スペーサと同じランク数で分けられており、
同じランクの前記スペーサの下面に対するレンズ受け部の底面の傾き角の大きさと前記対物レンズホルダの前記スペーサ受け部の底面の光軸に直交する面に対する傾き角の大きさは略同じであり、
前記スペーサと前記対物レンズホルダをランクが同じになるように組み合わせ、しかる後、前記スペーサを前記スペーサ受け部に内嵌し、該スペーサ受け部の底面と接触した状態で回転させて第１対物レンズのコバ面の傾き及び収差を調整した後、接着剤にて前記第１取付孔に接着することを特徴とする光ピックアップの製造方法。
【請求項１０】
第１対物レンズと、前記第１対物レンズと異なる開口数の第２対物レンズと、前記第１対物レンズと前記第２対物レンズが保持された対物レンズホルダとを有し、前記第１対物レンズはスペーサを介して前記対物レンズホルダに取り付けられるものであり、前記スペーサは円筒形状であり、上面側に前記第１対物レンズが内嵌され、該第１対物レンズを受けるレンズ受け部と、上面に形成された係止部とを有しており、前記対物レンズホルダは、下面から上面に貫通し上部に前記スペーサが回動可能に嵌入された第１取付孔と、下面から上面に貫通し上部に前記第２対物レンズが固定された第２取付孔とを有し、前記第１取付孔の上面には前記第１対物レンズを保持するスペーサが回動可能に内嵌されるスペーサ受け部が形成されている光ピックアップの製造方法であって、
前記スペーサの下面に対するレンズ受け部の底面の傾き角の大きさに従って複数のランクに分けられており、
前記対物レンズホルダは前記スペーサ受け部の底面の光軸に対して直交する面に対する傾きの大きさによって複数のランクに分けられており、
前記スペーサと前記対物レンズホルダのランクの選択によって前記第１対物レンズのコバ面の傾き及び収差を調整することを特徴とする光ピックアップの製造方法。
【請求項１１】
前記ランクが同じ前記スペーサ及び前記対物レンズホルダでは、前記スペーサの下面に対するレンズ受け部の底面の傾き角の大きさと、前記スペーサ受け部の底面の光軸に直交する面に対する傾き角の大きさが略同じであることを特徴とする請求項１０に記載の光ピックアップの製造方法。
【請求項１２】
前記スペーサを前記スペーサ受け部に内嵌し、該スペーサ受け部の底面と接触した状態で回転させて第１対物レンズの光軸を調整した後、接着剤にて前記第１取付孔に固定することを特徴とする請求項１０又は請求項１１に記載の光ピックアップの製造方法
【請求項１３】
ＣＤメディア、ＤＶＤメディア及びＢＤメディアのうち少なくとも２種類の光ディスクメディアの記録／再生を行うことを特徴とする請求項１０から請求項１２のいずれかに記載の光ピックアップの製造方法。
【発明の詳細な説明】
【技術分野】
【０００１】
本発明は、情報の再生又は記録のために光ディスクにレーザ光を照射する光ピックアップに関し、特に、開口数の異なるレンズを備え、ＣＤ、ＤＶＤ、ＢＤの記録又は再生を行うための光ピックアップ及び光ピックアップの製造方法に関するものである。
【背景技術】
【０００２】
光ディスク装置では光ピックアップより記録媒体である光ディスクにレーザ光を照射することで、データの記録又は再生を行っている。前記光ディスク装置がＣＤ（Ｃｏｍｐａｃｔ  Ｄｉｓｃ）メディア、ＤＶＤ（Ｄｉｇｉｔａｌ  Ｖｅｒｓａｔｉｌｅ  Ｄｉｓｃ）メディアを再生することができるものの場合、前記光ピックアップにはＣＤ用の赤外レーザ（約７８０ｎｍ）、ＤＶＤ用の赤色レーザ（約６５０ｎｍ）を出射するレーザ光源が備えられている。また、光ピックアップにはレーザ光を収束させ円形状のレーザスポットとして、光ディスクの記録面に形成されたトラックに照射させる対物レンズが備えられている。
【０００３】
レーザスポットの直径はレーザ光の波長に比例し、対物レンズの開口数（ＮＡ）に反比例する。ＣＤメディアとＤＶＤメディアでは前記トラックの幅が異なるので、記録再生時のレーザスポットの径も異なる。そのため、異なる開口数を有する対物レンズが必要であるが、対物レンズの形状を改めることで、ＣＤメディアとＤＶＤメディアの両方に対応する対物レンズとすることができる。
【０００４】
また光ピックアップでは、対物レンズを保持する対物レンズホルダを有しており、対物レンズホルダを、前記ＣＤメディア又はＤＶＤメディアに沿った径方向(トラッキング方向）及び該メディアに接近離反する方向（フォーカス方向）に移動させて、前記光ディスクのトラックにレーザスポットを正確に照射することができる。
【０００５】
また最近では、外形がＤＶＤと同じで、ＤＶＤよりも記憶容量の大きなＢＤ（Ｂｌｕ−Ｒａｙ  Ｄｉｓｃ）も登場してきている。ＢＤは記録密度がＤＶＤよりも高いのでのトラックの幅がＤＶＤのトラック幅に対し非常に狭く、レーザスポットも小径にする必要がある。そこで、ＢＤの記録、再生を行うために前記赤色レーザより短波長の青色レーザ（約４０５ｎｍ）を出射するレーザ光源が用いられている。
【０００６】
一方、前記ＣＤ、ＤＶＤ用の対物レンズではＮＡが小さく、青色レーザを十分に収束させることが難しく、ＢＤの記録、再生を正確に行うのが困難である。また、ＢＤ用の対物レンズを用いても赤外レーザや赤色レーザをうまく収束させることが難しい。そこで、対物レンズを保持するレンズホルダに、ＣＤ／ＤＶＤ用の対物レンズとＢＤ用の対物レンズＮＡの異なる２個の対物レンズを配置するものが提案されている。
【０００７】
このように、異なるＮＡを有する対物レンズを２個備える光ピックアップを使用することで、異なるトラック幅を有する光ディスクの記録面に各トラック幅に最適な径のレーザスポットになるように収束させたレーザ光を照射することができ、記録、再生を精度よく行うことが可能である。
【０００８】
前記２個の異なる対物レンズを備えた光ピックアップの場合、一方の対物レンズのチルト角にあわせて、レーザ光の光軸と光ディスクの記録面とが直交するように光ピックアップを調整しても、他方の対物レンズより出射されるレーザ光の軸が光ディスクの記録面と直交するとは限らない。なぜなら、対物レンズのレンズホルダへの取付時の傾き誤差や、取付部分の形状誤差等が、両方の対物レンズに対して同一であるとは限らないからである。
【０００９】
そこで、前記対物レンズを前記対物レンズホルダ内で中心軸を中心に回転させることで対物レンズの傾きの調整（チルト角調整）を行うことができる場合も多く、前記対物レンズホルダに前記対物レンズを固定する前に、前記対物レンズを回転させ、チルト角の調整を行っている（たとえば、特開２０００−３２２７５６号公報）。
【００１０】
しかしながら、対物レンズは通常、表面に凹凸が存在しないように形成されるものであり、ピンセット等の冶具を用いたとしても、容易に回転させることはできない。また、回転させることができたとしても、微妙な調整を行うには非常に高度な技術を要する。そこで、特開２００６−０６４８８６号公報に記載の発明では、対物レンズの周辺部に凹部を形成し、その凹部に冶具を挿入して回転させるものが示されている。
【００１１】
また、特開平６−１６８４５６号公報には、対物レンズを取り付けるときに９０度ごとに裏表交互に突起が設けられたスペーサを用い、この突起を利用して対物レンズの傾き角の調整するものである。
【００１２】
【特許文献１】特開２００６−０６４８８６号公報
【特許文献２】特開２０００−３２２７５６号公報
【特許文献３】特開平６−１６８４５６号公報
【発明の開示】
【発明が解決しようとする課題】
【００１３】
しかしながら、特開２００６−０６４８８６号公報に記載の発明のように、対物レンズの周辺部に凹部を設けるものの場合、対物レンズの製造が複雑になる。すなわち、対物レンズを製造した後、加工を施して凹部を設けるものの場合、その加工による応力や熱によって対物レンズにひずみが発生することもあり、前記対物レンズの精度を高く保つのが難しい。複雑な加工や製造方法が必要であるため、製造コストが高くなる。
【００１４】
また、特開平６−１６８４５６号公報に記載の発明では、対物レンズの傾きの調整の自由度が低く、２個の対物レンズのそれぞれのチルト量が略同じになるように調整するのが難しい。また、調整することができたとしても、スペーサを多数使う必要があり、コストがアップすると共に、対物レンズホルダの重量が重くなり、光ピックアップの記録／再生精度が低くなることがあり得る。また、対物レンズホルダの重量が重くなることで、支持、駆動に大きな力が必要になり、製造コスト及びランニングコストが高くなる。
【００１５】
そこで本発明は、上述した問題に鑑みてなされたものであり、２個の異なるＮＡの対物レンズを備えた光ピックアップであって、両方の対物レンズの光軸のずれを、簡単な操作で調整することができる光ピックアップを提供することを目的とする。
【００１６】
また本発明は、上述した問題に鑑みてなされたものであり、２個の異なるＮＡの対物レンズを備えた光ピックアップであって、対物レンズ及び対物レンズホルダに製造及び（又は）組み立て時の誤差が生じても、ＣＤ、ＤＶＤ、ＢＤ等の複数の光ディスクメディアの記録／再生の精度を高めることができる光ピックアップを提供することを目的とする。
【００１７】
さらに本発明は、叙述した問題に鑑みてなされたものであり、製造作業を簡略化し、製造、組み立てに必要な手間及び時間を減らすことができ、コストを低減することができる光ピックアップ及び光ピックアップの製造方法を提供することができる。
【課題を解決するための手段】
【００１８】
上記目的を達成するため本発明は、第１対物レンズと、前記第１対物レンズと異なる開口数の第２対物レンズと、前記第１対物レンズと前記第２対物レンズが保持された対物レンズホルダとを有する光ピックアップであって、前記第１対物レンズはスペーサを介して前記対物レンズホルダに取り付けられるものであり、前記スペーサは円筒形状であり、上面側に前記第１対物レンズが内嵌され、該第１対物レンズを受けるレンズ受け部と、上面に形成された係止部とを有しており、前記対物レンズホルダは、下面から上面に貫通し上部に前記第１対物レンズが保持された前記スペーサが取り付けられる第１取付孔と、下面から上面に貫通し上部に前記第２対物レンズが固定された第２取付孔とを有し、前記第１取付孔には前記スペーサが回動可能に内嵌されるスペーサ受け部が形成されていることを特徴とする。
【００１９】
この構成によると、前記スペーサを前記対物レンズホルダの前記スペーサ受け部に内嵌された状態で回転させることで、前記第１対物レンズのチルト量の調整を行うことが可能である。また、前記第１対物レンズのチルト量のみを調整するので、チルト量の調整の手間を削減することができ、それだけ、光ピックアップの製造及び組み立てにかかる手間と時間を削減することができる。
【００２０】
また、前記第１対物レンズを前記スペーサを介して前記対物レンズホルダに取り付けるものであり、該スペーサに係止部が備えられていることで、前記第１対物レンズの収差を補正するために該第１対物レンズを回転させる場合であっても、容易に回転させることができる。このことは、対物レンズを回転させるために該対物レンズを特殊な形状に形成したり、対物レンズを回転させるための特殊な冶具を用意する必要がなく、それだけ、簡単且つ安価に光ピックアップを製造することが可能である。
【００２１】
一方の取付孔に取り付けられた対物レンズのチルト量を調整することができるので、一方の取付孔及び該一方の取付孔に取り付けられた対物レンズの取り付け部の精度及び他方の取付孔及び該他方の取付孔に取り付けられた対物レンズの取り付け部の精度が高くなくても、各対物レンズのチルト量を同じ又はほぼ同じに調整することができるので、異なる種類（ＣＤ、ＤＶＤ、ＢＤ）の光ディスクメディアの記録／再生を精度よく行うことが可能である。
【００２２】
上記構成において前記スペーサの前記スペーサ受け部と接触する部分の摩擦係数が小さくなるように形成されているものであってもよい。たとえば、スペーサ全体を摩擦係数の小さな樹脂、金属等で形成したり、摩擦係数が小さくなるように表面処理を行ったりするものを挙げることができる。またこれらに限定されるものではなく、スペーサとスペーサ受け部との摺動抵抗を低減することができる方法を広く採用することが可能である。
【００２３】
上記構成において、前記係止部は前記スペーサの上面より突出する突部であってもよく、凹孔であってもよい。
【００２４】
上記構成において、前記対物レンズホルダは、弾性支持部材にて支持されるとともに、前記弾性支持部材にて該対物レンズホルダを駆動するために備えられたトラッキングコイル及びフォーカスコイルに電力が供給されるものであってもよく、対物レンズホルダを貫通する回転軸にて摺動可能且つ回動可能に支持されているものであってもよい。
【００２５】
上記構成の光ピックアップで記録／再生を行うことができるメディアとして、ＣＤメディア、ＤＶＤメディア及びＢＤメディアを挙げることができる。ＣＤメディアとは、ＣＤ−ＲＯＭ、ＣＤ−Ｒ、ＣＤ−ＲＷ等を含むものであり、ＤＶＤメディアとはＤＶＤ−ＲＯＭ、ＤＶＤ−Ｒ、ＤＶＤ＋Ｒ、ＤＶＤ−ＲＷ、ＤＶＤ＋ＲＷ、ＤＶＤ−ＲＡＭ等を含むものである。
【００２６】
以上説明した光ピックアップのさらに詳細な例は以下のように説明できる。赤外レーザ光を出射する赤外レーザ光源と、赤色レーザ光を出射する赤色レーザ光源と、青色レーザ光を出射する青色レーザ光源と、前記赤外レーザ光又は前記赤色レーザ光を収束させてＣＤメディア又はＤＶＤメディアの記録面に照射する第１対物レンズと、前記青色レーザ光を収束させてブルーレイディスクメディアの記録面に照射する第２対物レンズと、前記第１対物レンズと前記第２対物レンズを保持するとともにトラッキング方向、フォーカス方向に移動可能な対物レンズホルダと、前記対物レンズホルダを前記トラッキング方向に駆動する推力を発生するトラッキングコイルと、前記対物レンズホルダを前記フォーカス方向に駆動する推力を発生するフォーカスコイルと、前記対物レンズホルダを弾性支持するとともに前記トラッキングコイル及び前記フォーカスコイルに電力を供給する弾性支持部材とを備えた光ピックアップであって、前記第１対物レンズはスペーサを介して前記対物レンズホルダに取り付けられるものであり、前記スペーサは円筒形状であり、上面側に前記第１対物レンズが内嵌され、該第１対物レンズを受けるレンズ受け部と、上面より突出する突部とを有すると共に、摩擦係数の低い樹脂で形成されており、前記対物レンズホルダは、下面から上面に貫通し上部に第１対物レンズが保持されたスペーサが取り付けられる第１取付孔と、下面から上面に貫通し上部に前記第２対物レンズが固定された第２取付孔とを有しており、前記第１取付孔には前記第１対物レンズを保持したスペーサが回動可能に内嵌されるスペーサ受け部が形成されていることを特徴とするものである。
【００２７】
また上記目的を達成するため本発明は、第１対物レンズと、前記第１対物レンズと異なる開口数の第２対物レンズと、前記第１対物レンズと前記第２対物レンズが保持された対物レンズホルダとを有し、前記第１対物レンズはスペーサを介して前記対物レンズホルダに取り付けられるものであり、前記スペーサは円筒形状であり、上面側に前記第１対物レンズが内嵌され、該第１対物レンズを受けるレンズ受け部と、上面に形成された係止部とを有しており、前記対物レンズホルダは、下面から上面に貫通し上部に前記スペーサが回動可能に嵌入された第１取付孔と、下面から上面に貫通し上部に前記第２対物レンズが固定された第２取付孔とを有し、前記第１取付孔の上面には前記第１対物レンズを保持するスペーサが回動可能に内嵌されるスペーサ受け部が形成されている光ピックアップの製造方法であって、前記スペーサの下面に対するレンズ受け部の底面の傾き角の大きさに従って複数のランクに分けられており、前記対物レンズホルダは前記スペーサ受け部の底面の光軸に対して直交する面に対する傾きの大きさによって複数のランクに分けられており、前記スペーサと前記対物レンズホルダのランクの選択によって第１対物レンズの傾き及び収差を調整することを特徴とする。
【００２８】
この構成によると、前記対物レンズホルダと前記スペーサとをその製造精度によって予めランク分けしているので、第１対物レンズのチルト量を前記第２対物レンズのチルト量に近づくように調整しやすい。これにより、複雑な調整装置や冶具、部材等を用いることなく、記録／再生精度の高い光ピックアップを製造することが可能である。
【００２９】
上記構成において、前記ランクが同じ前記スペーサ及び前記対物レンズホルダでは、前記スペーサの下面に対するレンズ受け部の底面の傾き角の大きさと、前記スペーサ受け部の底面の光軸に直交する面に対する傾き角の大きさが略同じになるようにしてもよい。
【００３０】
さらに上記構成において、前記スペーサを前記スペーサ受け部に内嵌し、該スペーサ受け部の底面と接触した状態で回転させて第１対物レンズの光軸を調整した後、接着剤にて前記第１取付孔に固定してもよい。
【００３１】
以上説明した光ピックアップ製造方法のさらに詳細な例は以下のように説明できる。赤外レーザ光を出射する赤外レーザ光源と、赤色レーザ光を出射する赤色レーザ光源と、青色レーザ光を出射する青色レーザ光源と、前記赤外レーザ光又は前記赤色レーザ光を収束させてＣＤメディア又はＤＶＤメディアの記録面に照射する第１対物レンズと、前記青色レーザ光を収束させてブルーレイディスクメディアの記録面に照射する第２対物レンズと、前記第１対物レンズと前記第２対物レンズを保持するとともにトラッキング方向、フォーカス方向に移動可能な対物レンズホルダと、前記対物レンズホルダを前記トラッキング方向に駆動する推力を発生するトラッキングコイルと、前記対物レンズホルダを前記フォーカス方向に駆動する推力を発生するフォーカスコイルと、前記対物レンズホルダを弾性支持するとともに前記トラッキングコイル及び前記フォーカスコイルに電力を供給する弾性支持部材とを有し、前記第１対物レンズはスペーサを介して前記対物レンズホルダに取り付けられるものであり、前記スペーサは円筒形状であり、上面側に前記第１対物レンズが内嵌され、該第１対物レンズを受けるレンズ受け部と、前記上面より突出する突部とを有すると共に、摩擦係数の低い樹脂で形成されており、前記対物レンズホルダは、下面から上面に貫通し上部に前記スペーサが回動可能に嵌入された第１取付孔と、下面から上面に貫通し上部に前記第２対物レンズが固定された第２取付孔とを有し、前記第１取付孔の上面には前記第１対物レンズを保持するスペーサが回動可能に内嵌されるスペーサ受け部が形成されている光ピックアップの製造方法であって、前記スペーサは、該スペーサの下面に対するレンズ受け部の底面の傾き角の大きさに従って製造精度が複数のランクに分けられており、前記対物レンズホルダは前記スペーサ受け部の底面の光軸に直交する面に対する傾き角の大きさによって、前記スペーサと同じランク数で分けられており、
同じランクの前記スペーサの下面に対するレンズ受け部の底面の傾き角の大きさと前記対物レンズホルダの前記スペーサ受け部の底面の光軸に直交する面に対する傾き角の大きさは略同じであり、前記スペーサと前記対物レンズホルダをランクが同じになるように組み合わせ、しかる後、前記スペーサを前記スペーサ受け部に内嵌し、該スペーサ受け部の底面と接触した状態で回転させて第１対物レンズの傾き及び収差を調整した後、接着剤にて前記第１取付孔に接着することを特徴とするものである。
【００３２】
上記構成の光ピックアップの製造方法で製造される光ピックアップで記録／再生を行うことができるメディアとして、ＣＤメディア、ＤＶＤメディア及びＢＤメディアを挙げることができる。ＣＤメディアとは、ＣＤ−ＲＯＭ、ＣＤ−Ｒ、ＣＤ−ＲＷ等を含むものであり、ＤＶＤメディアとはＤＶＤ−ＲＯＭ、ＤＶＤ−Ｒ、ＤＶＤ＋Ｒ、ＤＶＤ−ＲＷ、ＤＶＤ＋ＲＷ、ＤＶＤ−ＲＡＭ等を含むものである。
【発明の効果】
【００３３】
本発明によると、２個の異なるＮＡの対物レンズを備えた光ピックアップであって、両方の対物レンズの光軸のずれを、簡単な操作で調整することができる光ピックアップ及び光ピックアップの製造方法を提供することができる。
【００３４】
また本発明によると、２個の異なるＮＡの対物レンズを備えた光ピックアップであって、対物レンズ及び対物レンズホルダに製造及び（又は）組み立て時の誤差が生じても、ＣＤ、ＤＶＤ、ＢＤ等の複数の光ディスクメディアの記録／再生の精度を高めることができる光ピックアップ及び光ピックアップの製造方法を提供することができる。
【００３５】
また本発明によると、製造作業を簡略化し、製造、組み立てに必要な手間及び時間を減らすことができ、コストを低減することができる光ピックアップ及び光ピックアップの製造方法を提供することができる。
【発明を実施するための最良の形態】
【００３６】
以下に本発明の実施形態を図面を参照して説明する。図１は本発明にかかる光ピックアップの一例の構成を示す配置図である。図１に示す光ピックアップＡは本体１と、対物レンズを駆動するアクチュエータ２とを備えている。図１に示す光ピックアップＡはＣＤメディア又はＤＶＤメディアの記録／再生を行うための第１光学系３と、ＢＤの記録／再生を行うための第２光学系４とを備えている。図１に示す光ピックアップでは、便宜上、赤外レーザの光路を一点鎖線で、赤色レーザの光路を実線で表示している。また、青色レーザの光路に関しても実線で表示している。ここで、ＣＤメディアとは、ＣＤ−ＲＯＭ、ＣＤ−Ｒ、ＣＤ−ＲＷ等を含み、ＤＶＤメディアとは、ＤＶＤ−ＲＯＭ、ＤＶＤ−Ｒ、ＤＶＤ＋Ｒ、ＤＶＤ−ＲＷ、ＤＶＤ＋ＲＷ、ＤＶＤ−ＲＡＭ等を含むものである。
【００３７】
第１光学系３は少なくとも、赤外レーザ光源３１と、赤色レーザ光源３２と、ダイクロイックプリズム３３と、偏光ビームスプリッタ３４と、コリメータレンズ３５と、立ち上げミラー３６と、１／４波長板３７と、第１対物レンズ３８と、センサレンズ３９と、受光素子Ｐｄ１とを備えている。
【００３８】
赤外レーザ光源３１は波長が約７８０ｎｍの赤外レーザ光を出射するものであり、ＣＤメディアの記録／再生に利用されるものである。赤色レーザ光源は波長が約６５０ｎｍの赤色レーザ光を出射するものであり、ＤＶＤメディアの記録／再生に利用されるものである。ダイクロイックプリズム３３は、赤外領域の波長の光を透過させ、赤色領域の波長の光を反射するプリズムである。すなわち赤外レーザ光源３１より出射されたレーザ光はダイクロイックプリズム３３を透過し、赤色レーザ光源３２はダイクロイックプリズム３３の反射面で反射してダイクロイックプリズム３３より出射される。本発明のダイクロイックプリズムは赤外レーザ光が透過し、赤色レーザ光が反射されるものを採用しているが、それに限定されるものではない。
【００３９】
偏光ビームスプリッタ３４は、入射されたレーザ光の偏光方向によって透過又は反射させるプリズムである。本発明では、赤外レーザ光源３１及び赤色レーザ光源３２より出射され、偏光ビームスプリッタ３４に入射したレーザ光は透過し、ＣＤメディア又はＤＶＤメディアの記録面で反射したレーザ光は偏光ビームスプリッタ３４で反射される。コリメータレンズ３５は、点光源である赤外レーザ光源３１又は赤色レーザ光源３２より出射された拡散光であるレーザ光を平行光に変換する。コリメータレンズ３５より出射されたレーザ光は立ち上げミラー３６にて直交する方向に反射される。これにより、レーザ光の光路はＣＤメディア又はＤＶＤメディアの記録層に直交する方向に変更される。
【００４０】
１／４波長板３７は入射する直線偏光の光を円偏光に、円偏光の光を直線偏光に変換するものである。第１対物レンズ３８は、非球面レンズが採用されている。第１対物レンズ３８は赤外レーザ光を収束させレーザスポットとしてＣＤメディアの記録面に、赤色レーザ光を収束させレーザスポットとしてＤＶＤメディアの記録面に照射させることができる。
【００４１】
ＣＤメディア又はＤＶＤメディアの記録面で反射されたレーザ光は再度１／４波長板３７に入射する。このとき、反射されたレーザ光は円偏光から直線偏光に変換される。この直線偏光に変換されたレーザ光の偏光方向は、赤外レーザ光源又は赤色レーザ光源より出射されたレーザ光の偏光方向に対して直交する。これにより、偏光ビームスプリッタ３４ではレーザ光は透過せずに反射し、センサレンズ３９を介して受光素子Ｐｄ１に入射する。受光素子Ｐｄ１では、入射したレーザ光を電気信号に変換し、出力信号として記録／再生に利用する。
【００４２】
第２光学系４は少なくとも、青色レーザ光源４１と、偏光ビームスプリッタ４４と、コリメータレンズ４５と、立ち上げミラー４６と、１／４波長板４７と、第２対物レンズ４８と、センサレンズ４９と、受光素子Ｐｄ２とを備えている。第２光学系４は、レーザ光源として波長が約４０５ｎｍの青色レーザ光を出射する青色レーザ光源４１、対物レンズとして第２対物レンズ４８を備えており、ダイクロイックプリズム３３を備えていない点が異なるが、それ以外は第１光学系３と実質上同じ部材を備えており、詳細は省略する。
【００４３】
上述した光学部材のうち第１光学系３の第１対物レンズ３８と第２光学系４の第２対物レンズ４８とはアクチュエータ２に配置される。アクチュエータ２は本体１に取り付けられている。
【００４４】
図２は本発明にかかる光ピックアップに備えられたアクチュエータの一例の平面図であり、図３は図２に示すアクチュエータの正面図であり、図４は図２に示すアクチュエータに用いられる対物レンズホルダの拡大斜視図である。アクチュエータ２はアクチュエータベース２１と、永久磁石２２と、支持部材２３と、第１対物レンズ３８及び第２対物レンズ４８を保持する対物レンズホルダ２４と、電力基板２５と、ワイヤばね２６とスペーサ２７とを有している。図中Ｒａは光ディスクメディア（ＣＤメディア、ＤＶＤメディア、ＢＤメディア）のラジアル方向（周方向）、Ｔａはタンジェンシャル方向（径方向）である。図２、図４に示すように、光ピックアップＡでは、第１対物レンズ３８と第２対物レンズ４８はＴａ方向に並んで配置される。
【００４５】
アクチュエータベース２１は金属板の打ち抜き、切り曲げによって形成されるものである。アクチュエータベース２１には、赤外レーザ光又は赤色レーザ光が通過する第１貫通孔２１１と、青色レーザ光が通過する第２貫通孔２１２と、永久磁石２２を保持するとともに、バックヨークとして作用する磁石保持部２１３とを備えている。永久磁石２２は対物レンズホルダ２４に磁界を作用させるものであり、それには限定されないがネオジウム磁石が採用されている。支持部材２３は樹脂製であり、アクチュエータベース２１に図示を省略したボルトを用いて強固に固定されている。また、ボルトに限定されるものではなく、はめ込み、溶着、接着等、支持部材２３がアクチュエータベース２１から脱落したり、移動したりしないように固定でききるものを広く採用することができる。
【００４６】
対物レンズホルダ２４は、下面から上面に貫通し、上面端部側に第１対物レンズ３８が取り付けられたスペーサ２７が取り付けられた第１取付孔２４１と、下面から上面に貫通し、上面端部側に第２対物レンズ４８が取り付けられた第２取付孔２４２と、対物レンズホルダ２４を光軸方向に摺動させるためのフォーカスコイル２４３と、対物レンズホルダ２４を光ディスクの径方向に摺動させるためのトラッキングコイル２４４と、フォーカスコイル２４３、トラッキングコイル２４４に電力を供給するための接続端子２４５とを有している。
【００４７】
電力基板２５はここでは屈曲性を有するＦＰＣ（Flexible Print Circuit）が採用されており、支持部材２３の約半分を覆うように接着されている。電力基板２５としてＦＰＣに限定されるものではなく、支持部材２３に安定して取り付けられるものを広く採用することができる。電力基板２５には電力を供給するための端子部２５１を備えている。
【００４８】
対物レンズホルダ２４はワイヤばね２６を介して、底部がアクチュエータベース２１と接触しないように支持部材２３に支持されている。ワイヤばね２６は導電性を有する男性部材であり、対物レンズホルダ２４の接続端子２４５と接触するように取り付けられている。また、支持部材２３に取り付けられた電力基板２５の端子部２５１と接触している。このように、ワイヤばね２６を介して、端子部２５１と接続端子２４５が電気的に接続されており、電力基板２５よりワイヤばね２６を介して、フォーカスコイル２４３、トラッキングコイル２４４に電力を供給する。
【００４９】
対物レンズホルダ２４についてさらに詳しく説明する。図５は対物レンズホルダの対物レンズ取付部の断面図である。図５に示す対物レンズホルダ２４では、第２取付孔２４２の取付部が誤差等によって傾いており、第２対物レンズ４８は光軸が傾いた状態で取り付けられている。図５では、図面上視認が容易なように、実際よりも大きく傾いている。図５に示すように、第１対物レンズ３８及び第２対物レンズ４８はその外周部にフランジ状の被支持部３８１及び被支持部４８１を備えている。
【００５０】
対物レンズホルダ２４は、ＣＤメディア又はＤＶＤメディアの記録／再生用の第１対物レンズ３８とＢＤメディアの記録／再生用の第２対物レンズ４８とが取り付けられている。第２対物レンズ４８は第１対物レンズ３８に比べて開口数（ＮＡ）の大きなもの（ＮＡ＝０．８５）が採用されており、焦点距離が短い。そのため、図４、図５等に示すように、第２対物レンズ４８の取り付け位置が第１対物レンズ３８の取り付け位置よりも光ディスクに近くなるように、第１取付孔２４１及び第２取付孔２４２が形成されている。
【００５１】
図５に示すように、第２取付孔２４２は第２対物レンズ４８を内挿することができるように、段つき円筒部２４２１が形成されている。第２対物レンズ４８の周辺部はフランジ状の被支持部４８１が形成されており、第２取付孔２４２の段つき円筒部２４２１に第２対物レンズ４８の被支持部４８１を係合させて、段つき円筒部２４２１と被支持部４８１とを接着剤にて接着する。このとき、図示は省略しているが段つき円筒部２４２１の上端部には接着剤を注入するための注入凹部が形成されており、この注入凹部に接着剤を注入することで被支持部４８１の側周部と第２取付孔２４２とを接着にて固定する。接着剤としては、第２対物レンズ４８を段つき円筒部２４２１に強固に取り付けることができるとともに、硬化条件（熱等）や硬化時の収縮による応力によって、第２対物レンズ４８の変形、破損等の不具合が発生しにくいものが好ましい。それには限定されないが、ここでは、紫外線硬化型の接着剤が採用されている。
【００５２】
図６は図５に示す対物レンズホルダに第１対物レンズ及びスペーサ取り付けるときの分解斜視図であり、図７は、図６に示す第１対物レンズ及びスペーサの分解した状態の断面図である。図５、図６、図７に示すように、スペーサ２７は円筒形状を有しており、第１対物レンズ３８が内挿されるための段つきで形成されている対物レンズ受け部２７１と、上面より突出する突部２７２とを有している。スペーサ２７はそれには限定されないがここでは、摺動性の高い（摩擦係数が小さい）樹脂の一体成型で製造されるものである。第１対物レンズ３８の周辺部にはフランジ状に突出する被支持部３８１が形成されており、被支持部３８１の下面が対物レンズ受け部２７１の底面２７１１と接触するように内嵌することで、第１対物レンズ３８はスペーサ２７に保持されている。この状態でスペーサ２７に形成された接着剤注入用の凹部（図示省略）に接着剤を注入して第１対物レンズ３８をスペーサ２７に接着固定する。
【００５３】
第１取付孔２４１はスペーサ２７が内挿される段つきのスペーサ受け部２４１１が形成されている。スペーサ受け部２４１１はスペーサ２７に下面２７３と接触する底面２４１２を有しており、スペーサ２７は下面２７３がスペーサ受け部２４１１の底面２４１２と接触するように、スペーサ受け部２４１１に内挿される。
【００５４】
製造時の加工公差や製造誤差、組み付け誤差等によって、対物レンズ受け部２７１の底面２７１１には、スペーサ２７の下面２７３に対して傾き角（γ°）が生じている。また、対物レンズホルダ２４のスペーサ受け部２４１１の底面２４１２にも、レーザ光の光軸と直交する面（図７中２４６）に対して製造時の加工公差や製造誤差、組み付け誤差等による傾き角（θ°）が生じている（図７参照）。
【００５５】
スペーサ２７の対物レンズ受け部２７１に対物レンズ３８の被支持部３８１を嵌合させて接着剤で固定し、対物レンズホルダ２４のスペーサ受け部２４１１に内挿する。スペーサ２７に形成された突部２７２を冶具（図示省略）等で掴み、図６に示す矢印のようにスペーサ２７を回転させる。なお、図６では、説明の便宜上、スペーサ２７を対物レンズホルダ２４から分離した状態を示しているが、実際の対物レンズホルダ２４の組み立ての場合、スペーサ２７を対物レンズホルダ２４のスペーサ受け部２４１１に嵌入した状態で行われるものである。
【００５６】
このように回転させることで、スペーサ２７の下面２７３に対する対物レンズ受け部２７１の底面２７１１の傾き角γ°と、対物レンズホルダ２４のスペーサ受け部２４１１の底面２４１２の傾き角θ°とが打ち消される又は増幅されるように作用させることができる。この打ち消しまたは増幅の作用を利用することで、第１対物レンズ３８のチルト角をタンジェンシャル方向及びラジアル方向に調整することが可能である。第１対物レンズ３８のチルト角の調整が終了した後、スペーサ受け部２４１１の内周部に形成された凹溝（図示省略）に接着剤を注入し、スペーサ２７を第１取付孔２４１に固定してもよい。
【００５７】
ここで、第１対物レンズ３８の傾き（チルト量）は、第２取付孔２４２に固定された第２対物レンズ４８のチルト量と同じになるように調整されるものである。これにより、対物レンズホルダ２４を取り付けたアクチュエータ２を光ピックアップＡの本体１に取り付けるときに、第２対物レンズ４８の光軸がＢＤメディアの記録面に直交するように取り付けることで、第１対物レンズ３８の光軸もＣＤメディア又はＤＶＤメディアの記録面と直交する。これにより、第１対物レンズ３８のチルト量のずれによるコマ収差の発生を低減することができる。
【００５８】
第１対物レンズ３８のチルト量を調整するときには、第１対物レンズ３８及び第２対物レンズ４８にオートコリメータにより調整用の光を照射し、コバ面からの反射光を受光することで行うものを採用することができる（図５参照）。
【００５９】
このように、第１対物レンズ３８のチルト量を第２対物レンズ４８のチルト量と同じ又はほぼ同じになるように調整することで、赤外レーザ光、赤色レーザ光及び青色レーザ光の光軸が平行になる。これにより、第２対物レンズ４８を出射したアクチュエータ２を青色レーザ光がＢＤメディアの記録面と直交するように配置することで、第１対物レンズ３８より出射される赤外レーザ光がＣＤメディアに又は赤色レーザ光がＤＶＤメディアの記録面に直交又はほぼ直交するように照射される。これにより、アクチュエータ２を第２対物レンズ４８のチルト量にあわせて設置するだけで、第１対物レンズ３８もＣＤメディア、ＤＶＤメディアに対して適切なチルト量となるので、アクチュエータ２の調整だけでＢＤ、ＤＶＤ、ＣＤに対応することが可能である。このことは、組み立て、調整に必要な手間と時間を減らすことができ、それだけ、製造、組み立てにかかるコストを削減することができる。
【００６０】
また、第１対物レンズ３８のチルト量を調整することができるので、第１対物レンズ３８、第２対物レンズ４８、第１取付孔２４１、第２取付孔２４２及びスペーサの製造精度が高くなくても、第１対物レンズ３８と第２対物レンズ４８の相対的なチルト量の変化を小さくすることができるので、ＣＤメディア、ＤＶＤメディア及びＢＤメディアの記録／再生精度の高い光ピックアップの製造及び組み立てのコストを大幅に削減することが可能である。
【００６１】
図８（Ａ）はスペーサ２７を下面２７３に対する対物レンズ受け部２７１の底面２７１１の角度γ°の精度にてランクに分けたものであり、図８（Ｂ）は対物レンズホルダ２４をレーザ光の光軸に直交する面に対する対物レンズホルダ２４のスペーサ受け部２４１１の底面２４１２の角度θ°の精度でランク分けしたものである。スペーサ２７は設計上、下面２７３と対物レンズ受け部２７１の底面２７１１は平行であり、設計上の角度は０°であるが、加工時の精度によって、平行よりわずかに角度がついてしまうことがある。そこで、図８（Ａ）に示すように、スペーサ２７を製造したときに下面２７３に対する底面２７１１の角度γ°を測定し、その角度によって５つのランクに分ける。図８（Ａ）のランク分けでは、精度の高い方がランク１で、精度の低い方がランク５としている。
【００６２】
図８（Ａ）のランク表に示すように、製造されたスペーサ２７を角度γ°が０°以上ｒ１°未満の場合ランク１、ｒ１°以上ｒ２°未満の場合ランク２等として５個のランクに分けられている。また、ランク５は角度γ°がｒ４°以上のものである。
【００６３】
また、図８（Ｂ）ランク表に示すように、製造された対物レンズホルダ２４を、角度θ°が０°以上ｑ１未満の場合ランク１、ｑ１以上ｑ２未満の場合ランク２等として５個のランクに分けられている。また、ランク５は角度θ°がｑ４以上のものである。
【００６４】
たとえば、ｒ１とｑ１、ｒ２とｑ２、ｒ３とｑ３、ｒ４とｑ４とがそれぞれ同じ場合、ランク１のスペーサ２７の角度γ°とランク１の対物レンズホルダ２４の角度θ°が略同じになる。このように同じランクのスペーサ２７を対物レンズホルダ２４のスペーサ受け部２４１１に嵌入させ、回転させることで、第１対物レンズ３８の光軸をレーザ光の光軸と略平行になるように配置することが可能である。
【００６５】
また、第２対物レンズ４８のチルト量にあわせて、適切なランクのスペーサ２７を選択するようにしても良い。この場合、スペーサ２７を回転させるだけで、第１対物レンズ３８のチルト量を第２対物レンズ４８のチルト量と略同じになるように調整することができ、それだけ、光ピックアップＡの組み立て作業性を向上させることができる。
【００６６】
上述の例では、ｒ１とｑ１、ｒ２とｑ２、ｒ３とｑ３、ｒ４とｑ４とがそれぞれ同じ場合を例に説明しているが、それに限定されるものではなく、ランク分けに用いる角度γ°の分布と角度θ°の分布とが異なるように設定するものであってもよい。このとき、スペーサ２７のランクの決定は、対物レンズホルダ２４のランク及び対物レンズホルダ２４に取り付けられている第２対物レンズ４８のチルト量をもとに決定されるものとすることができる。
【００６７】
また、上述の例ではスペーサ２７及び対物レンズホルダ２４にそれぞれ５個のランクに分けるものを例に説明しているが、それに限定されるものではなく、さらに少ないランクに分けるものであってもよく、さらに多くのランクに分けるものであってもよい。また、スペーサ２７と対物レンズホルダ２４をそれぞれ異なる数のランクに分けてもよい。
【００６８】
図９は本発明にかかる光ピックアップの他の例の対物レンズホルダに第１対物レンズ及びスペーサ取り付けるときの分解斜視図である。図９に示す光ピックアップではスペーサ２８が異なる以外は図６に示す光ピックアップと実質上同じ構成を有するものであり、実質上同じ部分には同じ符号が付してある。
【００６９】
図９に示すスペーサ２８は上面に係合部として、凹孔２８１が形成されている。スペーサ２８に第１対物レンズ３８を嵌入固定させた後、対物レンズホルダ２４の第１取付孔２４１に形成されるスペーサ受け部２４１１にスペーサ２８を内挿する。そして、第１対物レンズ３８のチルト量を調整するために、スペーサ２８を回転させる。このとき、ピン等のような冶具５を凹孔２８１に挿入し、力を加えることでスペーサ２８を容易に回転させることが可能である。また、凹孔２８１に冶具５を挿入してスペーサ２８を回転させるので、作業性がよい。
【００７０】
図１０は本発明にかかる光ピックアップに用いられるアクチュエータの他の例の平面図であり、図１１は図１０に示すアクチュエータの断面図であり、図１２は図１０に示すアクチュエータに用いられる対物レンズホルダの斜視図である。図１０及び図１１に示すアクチュエータ７は、アクチュエータベース７１に取り付けられたシャフト７３に摺動可能且つ回動可能に取り付けられている。
【００７１】
図１０、図１１に示すアクチュエータ７は、アクチュエータベース７１と、永久磁石７２と、シャフト７３と、第１対物レンズ３８及び第２対物レンズ４８を保持する対物レンズホルダ７４と、トラッキングコイル７５と、フォーカスコイル７６とを有している。図中Ｒａは光ディスクメディア（ＣＤメディア、ＤＶＤメディア、ＢＤメディア）のラジアル方向（径方向）であり、Ｔａはタンジェンシャル方向（周方向）である。図９、図１１に示すように、アクチュエータ７では、第１対物レンズ３８及び第２対物レンズ４８はＲａ方向に並んで配置されている。
【００７２】
アクチュエータベース７１は平面視矩形状を有しており、底部７１１と、底部７１１の周囲から底部７１１と垂直に立ち上がる立ち上がり部７１２とを有している。底部７１１の略中央部には立ち上がり部７１２と同じ方向に突出する円筒形状のシャフト７３が立設されている。立ち上がり部７１２には、シャフト７１３を挟んで対向して配置される２個の永久磁石７２とを有している（永久磁石は２個に限定されるものではない）。
【００７３】
図１２に示すように対物レンズホルダ７４は、第１対物レンズ３８が取り付けられたスペーサ２７が取り付けられた第１取付孔７４１と、第２対物レンズ４８が取り付けられる第２取付孔７４２と、本体の略中央を貫通し、シャフト７３が内部を貫通する軸孔７４３と、軸孔７４３を囲むように配置されるフォーカスコイル７６と、側面に軸孔７４３を挟んで対面して配置されるトラッキングコイル７５と、フォーカスコイル７６の下面に配置される磁性板（不図示）とを有している。
【００７４】
第１取付孔７４１はスペーサ２７が内挿される段つきのスペーサ受け部７４１１が形成されている。スペーサ受け部７４１１はスペーサ２７に下面２７３と接触する底面７４１２を有しており、スペーサ２７は下面２７３をスペーサ受け部７４１１の底面７４１２と接触するように、スペーサ受け部７４１１に内挿される。
【００７５】
対物レンズホルダ７４を用いて光ピックアップを組み立てるときも、対物レンズホルダ２４を用いて組み立てるときと同様に、対物レンズホルダ７４を製造精度にてランク分けしてもよい。その場合も対物レンズホルダ２４の場合と同様にして、スペーサ受け部７４１１の底面７４１２の傾き角の精度でランク分けするものを挙げることができる。また、スペーサとして図６等に示すスペーサ２７を用いているものを示しているが、図９に示すスペーサ２８を用いるものであっても良い。
【００７６】
第１対物レンズ３８を保持するスペーサとして、図６、図９に示すものを挙げているが、これらに限定されるものではなく、係止部を冶具等で保持して、回転させることができるものを広く採用することができる。
【００７７】
上述の各実施例では、ＣＤメディア及びＤＶＤメディアの記録／再生に用いられる対物レンズを第１対物レンズ３８とし、ＢＤメディアの記録／再生に用いられる対物レンズを第２対物レンズ４８として、第２対物レンズ４８を固定しておき、第１対物レンズ３８のチルト量を調整するものが採用されているが、それに限定されるものではなく、逆に第１対物レンズ３８を固定しておき、第２対物レンズ４８のチルト量を調整するものであってもよい。しかしながら、チルト量の変化に敏感な（コマ収差の発生しやすい）ＢＤメディア用の対物レンズ（ここでは第２対物レンズ４８）を固定し、チルト量の変化にはあまり敏感ではないＣＤ／ＤＶＤ用の対物レンズ（ここでは第１対物レンズ）を第２対物レンズ４８にあわせて調整するほうが好ましい。
【００７８】
上述の各実施例では、ＣＤメディア及び（又は）ＤＶＤメディアの記録／再生を行う第１光学系と、ＢＤメディアの記録／再生を行う第２光学系とが互いに独立して形成されているものを示しているが、それに限定されるものではなく、一部（たとえば偏光ビームスプリッタから１／４波長板まで）を共用するように構成してもよい。この場合、１／４波長板を通過したレーザ光を分光し、赤外レーザ光、赤色レーザ光は第１対物レンズに、青色レーザ光は第２対物レンズに入射させる部材が必要であるが、共用化により、光ピックアップを小型化することができるとともに、部材点数を減らすことができ、組み立て及び調整に要する手間と時間を減らすことができ、製造コストを低減することが可能である。また、青色レーザ光とＤＶＤメディアと同じ開口数の対物レンズを用いるＡＯＤ（Ａｄｖａｎｃｅｄ  Ｏｐｔｉｃａｌ  Ｄｉｓｃ）の記録／再生にも利用することが可能である。
【００７９】
以上、発明の実施形態を具体的に説明したが、本発明は上記実施形態に限定するものではなく、その要旨を逸脱しない範囲で種々変更可能である。各実施形態に記載した特徴のうち複数を備えていてもよい。
【産業上の利用可能性】
【００８０】
本発明は、ＤＶＤ、ＣＤ、ＢＤ等の光ディスクを記録媒体とする光ディスク装置において適用することができる。
【図面の簡単な説明】
【００８１】
【図１】本発明にかかる光ピックアップの一例の構成を示す配置図である。
【図２】本発明にかかる光ピックアップに備えられたアクチュエータの一例の平面図である。
【図３】図２に示すアクチュエータの正面図である。
【図４】図２に示すアクチュエータに用いられる対物レンズホルダの拡大斜視図である。
【図５】対物レンズホルダの対物レンズ取付部の断面図である。
【図６】図５に示す対物レンズホルダに第１対物レンズ及びスペーサ取り付けるときの分解斜視図である。
【図７】図６に示す第１対物レンズ及びスペーサの分解した状態の断面図である。
【図８】図（Ａ）はスペーサを角度γ°の精度にてランクに分けたものであり、図（Ｂ）は対物レンズホルダを角度θ°の精度でランク分けしたものである。
【図９】本発明にかかる光ピックアップの他の例の対物レンズホルダに第１対物レンズ及びスペーサ取り付けるときの分解斜視図である。
【図１０】本発明にかかる光ピックアップに用いられるアクチュエータの他の例の平面図である。
【図１１】図１０に示すアクチュエータの断面図である。
【図１２】図１０に示すアクチュエータに用いられる対物レンズホルダの斜視図である。
【符号の説明】
【００８２】
Ａ  光ピックアップ
１  本体
２  アクチュエータ
２１  アクチュエータベース
２２  永久磁石
２３  支持部材
２４  対物レンズホルダ
２４１  第１取付孔
２４１１  スペーサ受け部
２４２  第２取付孔
２４３  フォーカスコイル
２４４  トラッキングコイル
２４５  接続端子
２５  電力基板
２６  ワイヤばね
２７  スペーサ
２７１  対物レンズ受け部
２７２  突部
２８  スペーサ
３  第１光学系
３１  赤外レーザ光源
３２  赤色レーザ光源
３３  ダイクロイックプリズム
３４  偏光ビームスプリッタ
３５  コリメータレンズ
３６  立ち上げミラー
３７  １／４波長板
３８  第１対物レンズ
３９  センサレンズ
４  第２光学系
４１  青色レーザ光源
４４  偏光ビームスプリッタ
４５  コリメータレンズ
４６  立ち上げミラー
４７  １／４波長板
４８  第２対物レンズ
４９  センサレンズ
５  冶具
７  アクチュエータ
７１  アクチュエータベース
７２  永久磁石
７３  シャフト
７４  レンズホルダ
７４１  第１取付孔
７４１１  スペーサ受け部
７４２  第２取付孔
７４３  軸孔
７４４  フォーカスコイル
７４５  トラッキングコイル
【図１】
2008090944.tif 000003
【図２】
2008090944.tif 000004
【図３】
2008090944.tif 000005
【図４】
2008090944.tif 000006
【図５】
2008090944.tif 000007
【図６】
2008090944.tif 000008
【図７】
2008090944.tif 000009
【図８】
2008090944.tif 000010
【図９】
2008090944.tif 000011
【図１０】
2008090944.tif 000012
【図１１】
2008090944.tif 000013
【図１２】
2008090944.tif 000014